(57)【要約】【課題】  記録が中断されると、ＩＦＯファイルとなるメモリ上に展開している情報が失われ、また、システム破綻直前まで記録中の映像信号に関するＩＦＯファイルは光ディスク上には存在しないため、この部分の記録した映像は再生することが不可能となる。【解決手段】  圧縮符号化映像データは、ＦＥＣ１０を介して光学ヘッド５により光ディスク６に記録される。また、その記録中は、ＩＦＯファイルと映像ファイルを再構成するための管理情報が、メインシステム１１を介してフラッシュメモリ１２に記憶される。仮に、光ディスク記録装置が破綻して記録自体が中断した場合、その後にフラッシュメモリ１２から読み出した管理情報を基にＩＦＯファイルを算出することができ、これによりＩＦＯファイルと映像ファイルを復帰再構成して、復帰させることができる。従って、この復帰した部分の映像再生が可能となる。【選択図】            図１
2006079736.tif 000002
【特許請求の範囲】
【請求項１】
記録すべき映像信号に応じた映像ファイルと、前記映像ファイルを再生するときに必要となる情報ファイルとを、予め所定のメモリ蓄え、前記メモリから順次、光ディスクに記録する光ディスク記録装置において、
前記光ディスクへの前記映像ファイルの記録中に、前記情報ファイルを作成するのに必要な管理情報を生成する情報生成手段と、
電源断時も記憶情報を保持する不揮発性メモリと、
前記光ディスクへ前記映像ファイルを順次記録しているときに、前記情報生成手段により生成された前記情報ファイルを作成するのに必要な管理情報を、前記不揮発性メモリに記憶する記憶手段と、
前記光ディスクへ前記映像ファイルを順次記録している時に記録中断が発生した後、再起動することにより、前記不揮発性メモリに記憶されている前記必要な管理情報を前記不揮発性メモリから読み出す読み出し手段と、
前記不揮発性メモリから読み出された前記必要な管理情報に基づいて、記録中断までの前記映像ファイルの再生に必要な情報ファイルを復元する情報ファイル復元手段と
を有し、前記情報ファイル復元手段により復元された情報ファイルに基づき、記録中断以後の前記映像信号の記録の再開を可能とすることを特徴とする光ディスク記録装置。
【発明の詳細な説明】
【技術分野】
【０００１】
本発明は光ディスク記録装置に係り、特に映像信号を光ディスクに記録する光ディスク記録装置に関する。
【背景技術】
【０００２】
映像信号を光ディスクに記録する光ディスク記録装置は、現在広く普及し最も多く用いられている、映像信号を回転ヘッドにより磁気テープに記録し再生する磁気記録再生装置に比べ、まだその普及程度は及ばないがその利便性が認知されつつあり、また価格的にも手に入れ易いものとなりつつあるために、徐々にではあるが普及しつつあり、いずれは磁気記録再生装置に置き換わることも予想されている。この光ディスク記録装置では、記録する映像信号を圧縮符号化してから記録するのが一般的である。これは、圧縮符号化が多くの映像信号をできる限り効率良く記録するのに適しているからである。
【０００３】
図２は従来の光ディスク装置の一例のブロック図を示す。同図において、入力端子１から入力されたアナログ映像信号は、Ａ／Ｄコンバータ２によりＡ／Ｄ変換されてディジタル映像信号に変換された後、エンコーダ３に供給されて、所定の圧縮符号化方式で圧縮符号化される。エンコーダ３から出力された圧縮符号化映像データは、トラックバッファ４に供給されて一時蓄積された後、所定のレートで読み出されて光ヘッド５により光ディスク６に光学的に記録される。
【０００４】
ここで、記録される映像信号は連続しており、記録も途中で途切れないようにしなければならない。そのため、圧縮符号化映像データが途中で途切れることのないように、圧縮符号化映像データをトラックバッファ４に一時蓄積しておき、そのトラックバッファ４から圧縮符号化映像データを読み出して光ディスク６に記録するように構成することにより、符号化量が非常に多い映像信号が連続するような状態が続いたとしても、トラックバッファ４に充分な量の圧縮符号化映像データを蓄積しておけば、映像データが途切れることなく光ディスク６に連続して記録することができる。
【０００５】
一方、仮に記録する光ディスク６に生産過程、あるいは流通過程、長期の使用で繰り返される記録、消去の繰り返し等で生じた記録層自体の劣化、欠陥、キズ、又はユーザーの取り扱いなどで発生した光ディスク表面のキズ、ホコリの付着、指紋等の付着などが生じた場合、そのような記録ができない部分（以下ディフェクト）を避けて記録する必要がある。
【０００６】
しかし、ディフェクトが大量に発生した場合は、ディフェクトを避ける時間が長くなり、その結果、実際に記録している時間が短くなるので、トラックバッファ４に蓄積された映像データが消費されなくなる時間が長くなるために、トラックバッファ４の蓄積映像データの読み出し量が極度に低下する。
【０００７】
この状態がそのまま進行すると、エンコーダ３からトラックバッファ４への映像データの供給が過剰になり、従ってトラックバッファ４の記憶容量以上の映像データが供給され、蓄積できない映像データが発生（トラックバッファ４のオーバーフローが発生）してしまう。この場合は、光ディスク記録システム全体に破綻が生じてしまい、全てのシステムが停止状態となってしまい、記録が中断してしまう。この状態で光ディスク記録装置を再起動しても、今まで光ディスク６に記録していた映像が失われてしまう。
【０００８】
この様な光ディスク記録装置のシステム破綻の状態が発生した時の、実際に記録されていた光ディスクの状態について説明する。まず、記録後の光ディスクの記録状態を図３に示す。同図において、光ディスク６には、記録された映像信号の情報ファイル（以下ＩＦＯファイル）８と、映像ファイル９が記録されている。記録を開始すると、まず、前述したように、映像信号は映像ファイル９として光ディスク６上に記録されていく。次に、この映像ファイル９のディスク情報を中心に構成されるＩＦＯファイル８が作られて行く。
【０００９】
通常記録時は、映像信号のみ記録しており、ＩＦＯファイル８を構成する情報はメモリ上に展開しておき、記録が終了した時点あるいは光ディスク６を記録装置から排出する時に、ＩＦＯファイル８を光ディスク６に書き込んでいる。従って、記録中にシステムが破綻した場合、図２に示した従来の光ディスク記録装置では、上記のＩＦＯファイル８となるメモリ上に展開している情報が失われ、また、システム破綻直前まで記録中の映像信号に関するＩＦＯファイル８は光ディスク６上にも存在しないこととなる。
【００１０】
ところが、光ディスク６に記録された映像ファイル９を再生するには、記録された映像信号を再生するためのＩＦＯファイル８が映像ファイル９とは別に存在し、このＩＦＯファイル８の内容を基に映像ファイル９から映像信号を読み出し再生する。このため、上記のシステム破綻時には、その後に光ディスク装置でその光ディスク６を再生しようとしても、ＩＦＯファイル８が存在しないため、システム破綻直前まで記録していた映像ファイル９は再生することが不可能となる。
【００１１】
なお、光ディスクへのデータ記録中の電源断や、記録データを出力するホストコンピュータ側のシステムダウン等の原因によってハードウェアリセットが起こった場合や、業務上の都合や時間上の都合などによって記録動作を中断して電源を切断したり、光ディスクを入れ替えたりした場合にも、メモリに保存されているインターリーブ回路の状態が消失してしまい、光ディスクへのデータの書き込みを再開できなくなるため、このような場合には、データ記録を再開できるようにした光ディスク記録装置が従来より知られている（例えば、特許文献１参照）。
【００１２】
この特許文献１記載の従来の光ディスク記録装置は、光ディスクに記録されているデータの終端位置を検出し、その終端位置からインターリーブ長を隔てた位置を光ディスク上の開始位置に決定し、決定したその開始位置から追記するデータのインターリーブを行い、インターリーブされた追記するデータを上記の終端位置から続けて書き込むようにした構成である。
【００１３】
また、複数種類の光ディスクに情報を記録する装置において、光ディスクの種類に応じて、記録を中断するための異常判定条件を変える手段と、情報の記録中に異常判定条件に基づいて記録を中断する手段とを有する構成の光ディスク記録装置も従来知られている（例えば、特許文献２参照）。この特許文献２記載の従来の光ディスク記録装置は、記録動作を中断した光ディスクが書換可能な光ディスクのときには、記録中断が生じたアドレスのブロックの先頭に戻り、先頭からそのブロックのデータを重ね書き記録し、書換不可能な光ディスクのときには、記録中断が生じたブロックの途中位置から、記録できなかった残りの情報を引き続き記録するようにしたものである。
【００１４】
【特許文献１】特開２００１−３３８４７０号公報
【特許文献２】特開２００３−１８７４４９号公報
【発明の開示】
【発明が解決しようとする課題】
【００１５】
しかしながら、前記図２に示した従来の光ディスク記録装置では、前述したように、光ディスク６にディフェクトが大量に発生した場合は、トラックバッファがオーバーフローとなり、記録が中断されると、ＩＦＯファイル８となるメモリ上に展開している情報が失われ、また、システム破綻直前まで記録中の映像信号に関するＩＦＯファイル８は光ディスク６上には存在しないため、この部分の記録した映像は再生することが不可能となる。
【００１６】
また、上記の従来の光ディスク記録装置では、映像信号を既に記録されている映像ファイルに追記する時には、既に記録されている映像ファイルに追加記録する部分を追加し、新規の場合は新たに映像ファイルを作成し、映像ファイル自体の情報も更新しなければならないが、更新する前に中断してしまうため、更新する前の映像ファイルしか再生できない。そして、この様な事態が生じるために記録した内容が失われ、記録した内容は一度失われると、全く同じ内容を記録するというのは不可能である。
【００１７】
一方、特許文献１及び２記載の従来の光ディスク記録装置は、いずれも記録中断後に、記録中断前のデータを異常なく書き込むことができるようにしたものに過ぎず、記録中断前のデータを復元できることが前提となっており、上記のように記録中断により記録内容が失われた場合には、記録中断が無かったときと全く同じ内容の情報を記録することはできない。
【００１８】
更に、従来の光ディスク記録装置でシステムダウンしないように構成するには、全体として装置の構成が極めて複雑になり、更にハードウェア的に追加の構成が必要となり、コスト的にも不利となり、また、あらゆる状況に完全に対応できるとは言い切れず、結局はシステムダウンを起こしてしまう。そうなった場合は、データの復帰ができない。
【００１９】
本発明は以上の点に鑑みなされたもので、記録中断が無かったときと全く同じ内容の情報を、記録中断後に記録し得る光ディスク記録装置を提供することを目的とする。
【００２０】
また、本発明の他の目的は、システムの集積度を上げ、コスト的にも全く負担をかけずに、記録中のシステム破綻により失われた映像情報を復帰させ、再生可能とする光ディスク記録装置を提供することにある。
【課題を解決するための手段】
【００２１】
本発明は上記の目的を達成するため、記録すべき映像信号に応じた映像ファイルと、映像ファイルを再生するときに必要となる情報ファイルとを、予め所定のメモリ蓄え、メモリから順次、光ディスクに記録する光ディスク記録装置において、光ディスクへの映像ファイルの記録中に、情報ファイルを作成するのに必要な管理情報を生成する情報生成手段と、電源断時も記憶情報を保持する不揮発性メモリと、光ディスクへ映像ファイルを順次記録しているときに、情報生成手段により生成された情報ファイルを作成するのに必要な管理情報を、不揮発性メモリに記憶する記憶手段と、光ディスクへ映像ファイルを順次記録している時に記録中断が発生した後、再起動することにより、不揮発性メモリに記憶されている必要な管理情報を不揮発性メモリから読み出す読み出し手段と、不揮発性メモリから読み出された必要な管理情報に基づいて、記録中断までの映像ファイルの再生に必要な情報ファイルを復元する情報ファイル復元手段とを有し、情報ファイル復元手段により復元された情報ファイルに基づき、記録中断以後の映像信号の記録の再開を可能とすることを特徴とする。
【００２２】
この発明では、映像信号の記録中に、情報ファイルを作成するのに必要な管理情報を不揮発性メモリに記憶しているので、映像信号の記録中に何らかの原因で中断が発生しても、中断後の再起動後に不揮発性メモリに記憶されている情報を読み出し、その読み出した情報に基づいて、記録中断までの映像ファイルの再生に必要な情報ファイルを復元するようにしたため、記録中断以後の映像信号の記録の再開を可能とすることができる。
【００２３】
また、上記の不揮発性メモリが光ディスク装置内で元々使用されている既存のものである場合は、それを利用でき、また、上記の情報生成手段と、記憶手段と、読み出し手段と、情報ファイル復元手段とをコンピュータを利用したソフトウェアプログラムで実現するようにした場合は、システムの集積度を上げ、コスト的にも全く負担をかけずに、記録中のシステム破綻により失われた映像情報を復帰できる。
【発明の効果】
【００２４】
本発明によれば、記録中断までの映像ファイルの再生に必要な情報ファイルを復元することにより、記録中断以後の映像信号の記録の再開を可能とするようにしたため、記録中断が無かったときと全く同じ内容の映像情報を、記録中断後に記録することができる。
【発明を実施するための最良の形態】
【００２５】
次に、本発明を実施するための最良の形態について図面と共に説明する。図１は本発明になる光ディスク記録装置の一実施の形態のブロック図を示す。同図中、図２と同一構成部分には同一符号を付してある。図１に示す本実施の形態は、フロントエンドコントローラ（以下ＦＥＣ）１０、メインシステム１１及びフラッシュメモリ１２を設けた点に特徴がある。
【００２６】
ただし、ＦＥＣ１０は実際に信号の書き込み、読み込みのためにドライブをコントロールするもので、特に本実施の形態にて付加したものではなく、従来の光ディスク記録装置でも存在する。また、フラッシュメモリ１２も特に本実施の形態にて付加したものではなく、光ディスク記録装置に元々存在するフラッシュメモリである。
【００２７】
次に、本実施の形態の動作について説明する。図１において、入力端子１より入力されたアナログ映像信号は、Ａ／Ｄコンバータ２によりＡ／Ｄ変換されてディジタル映像信号に変換された後、エンコーダ３に供給されて、ＭＰＥＧ（Moving Picture Experts Group）等の所定の圧縮符号化方式で圧縮符号化される。エンコーダ３から出力された圧縮符号化映像データは、トラックバッファ４に供給されて一時蓄積された後、所定のレートで読み出されてＦＥＣ１０に供給される一方、メインシステム１１に供給される。
【００２８】
上記の圧縮符号化映像データは、ＦＥＣ１０を介して光学ヘッド５により光ディスク６に記録される。また、その記録中は、ＩＦＯファイルと映像ファイルを再構成するための最低限の情報が、メインシステム１１を介してフラッシュメモリ１２に記憶される。この記録中は、トラックバッファ４のデータ量もトラックバッファ４自身が監視している。
【００２９】
ここで、トラックバッファ４で一次蓄積される圧縮符号化映像データがＭＰＥＧエンコーダで作成されたＭＰＥＧ符号化映像データ列であるＭＰＥＧストリームであるものとすると、それらが複数集まったものをＶＯＢＵといい、このＶＯＢＵを更に複数集めたものをＶＯＢという。実際には、上記のＶＯＢは記録開始から記録停止した時点で１ＶＯＢとされるが、この中でＶＯＢ並びにＶＯＢＵの情報をＩＦＯファイルに記憶する。
【００３０】
ＶＯＢは実際の映像信号であるＭＰＥＧストリームのファイル（ＶＲＯファイル）の先頭からのアドレスオフセット、ＶＯＢＵ数等が記憶されている。また、ＶＯＢＵは、ＶＯＢＵのデータサイズ、映像としたときのフィールド数が記憶されている。これらの固有の情報を記録しておけば、その他の情報（ＶＯＢが記録された日時等）は再計算により作り出すことができる。
【００３１】
そこで、ＶＯＢでのＶＲＯファイルの先頭からのオフセット、ＶＯＢＵのデータサイズ、フィールド数を、映像ファイルを管理する情報である前記最低限の情報としてメインシステム１１がＦＥＣ１０からの情報から得てフラッシュメモリ１２に記憶する。
【００３２】
これにより、仮に記録中に、例えば光ディスク６の大量のディフェクトに起因して、トラックバッファ４がオーバーフローして、光ディスク記録装置が破綻して記録自体が中断した場合、その後にフラッシュメモリ１２から読み出した最低限の情報を基にＩＦＯファイルと映像ファイルを復帰再構成して、復帰させることができ、これにより、この復帰した部分の映像再生が可能となる。
【００３３】
すなわち、光ディスク６への映像ファイル及び前記最低限の情報の記録中に、トラックバッファ４が自身の蓄積データ量を監視しており、その蓄積データ量が光ディスク記録装置が停止してしまう量を超えた場合は、トラックバッファ４から「システムダウンする」というような監視情報をメインシステム１１に伝達する。この監視情報を受け取ったメインシステム１１は、一度光ディスク記録装置の記録動作を中断させて、次に光ディスク記録装置の再起動を行う。これは光ディスク記録装置が破綻した場合、再起動しなければ通常状態に戻ることができないからである。
【００３４】
記録を中断した光ディスク６上にＩＦＯファイルが既に存在する場合は、再起動後に光ヘッド５でそれを読み出して光ディスク記録装置が動作するために用いるＤＲＡＭ（図示せず）上に展開する。ＩＦＯファイルが記録されていない場合はそのままとなる。
【００３５】
次に、フラッシュメモリ１２に格納しておいた、記録中のＩＦＯファイルを構成するための最低限の情報を読み出して、既にＩＦＯファイルがある場合は追加して新たなＩＦＯファイル情報を構成し、無い場合は読み出したＩＦＯファイルを構成するための最低限の情報を基に新たなＩＦＯファイルを構成する。この読み出した情報は最低限であり、どうしても必要なもののみであるので、ＩＦＯファイルを構成する上で必要なフラッシュメモリ１２に記憶していないその他の情報は、必要に応じて最低限の情報に基づいて再計算して作り出す。
【００３６】
それと同時に、映像ファイルを管理する情報（すなわち、前記最低限の情報）を追加記録の場合は更新し、新規記録の場合は記録が中断後、光ディスク記録装置が再起動したときに再構成する。上記の映像ファイルを管理する情報の更新や再構成は、メインシステム１１がフラッシュメモリ１２から上記の記録中に記録しておいた最低限の情報を読み出して、その情報を規格に沿って記録及び再計算によりＩＦＯファイルを作り出すことで行う。
【００３７】
この映像ファイルを管理する情報を格納する場所としてまず考えられるのは、一度この光ディスク記録機器のシステムが停止するため、この情報が失われないようにしなければならないため、フラッシュメモリ１２等のように電源が切れても内容が消えない不揮発性メモリを使う。このフラッシュメモリ１２は、光ディスク記録装置のようなディジタル機器では大抵使用されており、その為これを利用することができ、本発明の目的のために新たに専用のメモリを追加する必要は殆ど生じない。
【００３８】
また、フラッシュメモリ１２に格納される情報は、ＩＦＯファイルを再構成するためや映像ファイル情報を復帰させるのに最低限の情報であり、どうしても必要なもののみであるので、その容量は大きくなく、既存のフラッシュメモリ１２でも充分記憶可能である。
【００３９】
また、この、映像ファイルを管理する情報はＩＦＯファイルを再構成するためや映像ファイル情報を復帰させるのに最低限の情報であり、どうしても必要なもののみであるので、その他の情報（すなわち、ＩＦＯファイルを構成する上で記憶しておかなければならない情報のうち、フラッシュメモリ１２に記憶していない、再計算で作り出す情報）はこれから計算により作り出せ、記憶する量としては大きくならない。
【００４０】
このようにして、記録が中断した光ディスク６の中断までの映像ファイルとＩＦＯファイルを復帰させ、その復帰終了後、光ディスク記録装置が正常状態になっているため記録の継続が中断位置からの追記という形で可能となる。
【００４１】
このように、本実施の形態によれば、光ディスク記録装置に元々備わっているフラッシュメモリ１２を利用して、システムダウンが起きそうなときには、記録を一旦中断してから光ディスク記録装置を再起動し、そのときのソフトウェア処理により、フラッシュメモリ１２に格納しておいた、光ディスク６への符号化映像データ記録中のＩＦＯファイルの復帰に最低限必要な情報を読み出し、既にＩＦＯファイルがある場合は追加して新たなＩＦＯファイル情報を構成し、無い場合はこの情報を基に新たなＩＦＯファイルを構成することにより、記録中断までの映像ファイルを復帰させ、その後追記という形で光ディスクへの記録を再開することができる。
【００４２】
本実施の形態では、上記の復帰動作はコンピュータを用いたソフトウェア上で対応できるので、ハードウェア的な追加は必要が無く、コスト的にも新たな追加を必要とせず、それまで記録していた映像復帰を実現することができる。また、あらゆる原因のシステムダウンに対しても、全て対応可能である。
【００４３】
なお、上記の実施の形態ではトラックバッファ４のバッファ量がオーバーフローしてしまい、そのままではシステムダウンが起きるであろうという時に装置の動作を中断して、次に装置の再起動を行うようにしているが、本発明はこれに限定されるものではなく、例えば、停電等のようにシステムに異常がなくても外部要因でシステムダウンが起きてしまった場合にも、対応することができる。
【図面の簡単な説明】
【００４４】
【図１】本発明の一実施の形態のブロック図である。
【図２】従来の一例のブロック図である。
【図３】記録後の光ディスクの記録状態の一例を示す図である。
【符号の説明】
【００４５】
１  映像信号入力端子
３  エンコーダ
４  トラックバッファ
５  光学ヘッド
６  光ディスク
８  情報ファイル（ＩＦＯファイル）
９  映像ファイル
１０  フロントエンドコントローラ（ＦＥＣ）
１１  メインシステム
１２  フラッシュメモリ
【図１】
2006079736.tif 000003
【図２】
2006079736.tif 000004
【図３】
2006079736.tif 000005